(57)【特許請求の範囲】
【請求項１】
地上ディジタルテレビジョン放送チャネルが割り当てられる第１周波数帯域を含む第２周波数帯域を通して放送される地上アナログテレビジョン放送チャネルのテレビジョン信号を受信するテレビジョン受信機において、
チャネル検索指示に応答して少なくとも前記第１周波数帯域から前記地上アナログテレビジョン放送チャネルを検索する検索手段、
前記第１周波数帯域の周波数成分を減衰させる減衰手段、および
前記第１周波数帯域の前記地上アナログテレビジョン放送チャネルの有無に応じて前記減衰手段をオン／オフする制御手段を備えることを特徴とする、テレビジョン受信機。
【請求項２】
前記検索手段は前記第２周波数帯域の全域から前記地上アナログテレビジョン放送チャネルを検索し、
前記検索手段によって検索された前記地上アナログテレビジョン放送チャネルを選局可能チャネルとして設定する設定手段をさらに備える、請求項１記載のテレビジョン受信機。
【請求項３】
前記検索手段は、前記テレビジョン信号に含まれる所定の同期信号を検出する検出手段、および前記検出手段による検出結果に基づいて前記地上アナログテレビジョン放送チャネルの有無を判別する判別手段を含む、請求項１または２記載のテレビジョン受信機。
【発明の詳細な説明】
【０００１】
【産業上の利用分野】
この発明は、テレビジョン受信機に関し、特にたとえば、地上ディジタルテレビジョン放送チャネルが割り当てられる第１周波数帯域を含む第２周波数帯域を通して放送される地上アナログテレビジョン放送チャネルのテレビジョン信号を受信する、テレビジョン受信機に関する。
【０００２】
【従来技術】
日本国内においては、２０００年１２月に開始されたＢＳ（Broadcasting Satellite）ディジタルテレビジョン放送に続いて、２００３年から一部の地域で地上ディジタルテレビジョン放送（以下、単にディジタル放送と言う。）が開始される。そして、２００６年までの間に全国でディジタル放送が開始され、２０１１年頃に現在の地上アナログテレビジョン放送（以下、単にアナログ放送と言う。）が廃止される予定である。なお、現在のアナログ放送においては、図６に示すように、９０ＭＨｚから２２２ＭＨｚまでのＶＨＦ（Very High Frequency）帯域に１ｃｈから１２ｃｈまでの１２のＶＨＦチャネルが割り当てられており（厳密には、９０ＭＨｚから１０８ＭＨｚまでのＶＨＦ−Ｌｏｗ帯域に１ｃｈから３ｃｈまでが割り当てられ、１７０ＭＨｚから２２２ＭＨｚまでのＶＨＦ−Ｈｉ帯域に４ｃｈから１２ｃｈが割り当てられている。）、４７０ＭＨｚから７７０ＭＨｚまでのＵＨＦ（Ultra High Frequency）帯域に１３ｃｈから６２ｃｈまでの５０のＵＨＦチャネルが割り当てられているが、このうちＵＨＦ帯域の１３ｃｈから３２ｃｈ（５９０ＭＨｚ）までにディジタル放送用のチャネルが割り当てられることが既に決定している。したがって、現在１３ｃｈから３２ｃｈまでのチャネルを使用しているアナログ放送については、ディジタル放送が開始されるまでの間に逐次他のチャネルに移行されることになる。
【０００３】
【発明が解決しようとする課題】
すなわち、上述の予定によれば、２００３年から２０１１年までの間は、アナログ放送とディジタル放送とが混在することになる。よって、この間、両者を合わせた全チャネル数は、現行の（アナログ放送のみの場合の）約２倍に増加する。このため、現在使用しているアナログ放送受信用の受信機をディジタル放送開始後も継続して使用する場合に、選局チャネルによっては或るディジタル放送チャネルとの間で相互変調妨害や混変調妨害、或いは隣接チャネル妨害などを生じ（具体的には、これらの妨害によって受信機を構成する増幅回路などの周波数特性（直線性／非直線性）に歪みが生じ）、これによって番組を正常に試聴できなくなる可能性がある。
【０００４】
それゆえに、この発明の主たる目的は、アナログ放送受信用のテレビジョン受信機において、ディジタル放送チャネルとの間で相互変調妨害などの妨害（混信）を生じることのない、テレビジョン受信機を提供することである。
【０００５】
【課題を解決するための手段】
この発明は、ディジタル放送チャネルが割り当てられる第１周波数帯域を含む第２周波数帯域を通して放送されるアナログ放送チャネルのテレビジョン信号を受信するテレビジョン受信機において、チャネル検索指示に応答して少なくとも第１周波数帯域からアナログ放送チャネルを検索する検索手段、第１周波数帯域の周波数成分を減衰させる減衰手段、および第１周波数帯域のアナログ放送チャネルの有無に応じて減衰手段をオン／オフする制御手段を備えることを特徴とする、テレビジョン受信機である。
【０００６】
【作用】
この発明では、テレビジョン受信機は、第２周波数帯域を通して放送されるアナログ放送チャネルのテレビジョン信号を受信することができる。ただし、第２周波数帯域のうちの第１周波数帯域には、将来、ディジタル放送チャネルが割り当てられる。ここで、チャネル検索指示が与えられると、これに応答して、検索手段が、少なくとも第１周波数帯域からアナログ放送チャネルを検索する。そして、制御手段が、第１周波数帯域におけるアナログ放送チャネルの有無に応じて減衰手段をオン／オフする。具体的には、検索手段によって第１周波数帯域でアナログ放送チャネルが検索されると、制御手段は、未だディジタル放送が開始されていないものと認識して、減衰手段をオフ（不能化）する。この場合、第１周波数帯域を含む全ての第２周波数帯域を通して放送されるアナログ放送チャネルのテレビジョン信号が、いずれも受信可能となる。一方、第１周波数帯域においてアナログ放送チャネルが検索されなかったとき、制御手段は、既にディジタル放送が開始されたものと認識して（換言すれば、第１周波数帯域に割り当てられていたアナログ放送チャネルは既に他の周波数帯域に移行されたものと認識して）、減衰手段をオン（能動化）する。この場合、第２周波数帯域のうち第１周波数帯域の周波数成分は減衰され、それ以外の周波数帯域を通して放送されるテレビジョン信号のみが受信可能となる。
【０００７】
この発明のある実施例では、検索手段は、第２周波数帯域の全域からアナログ放送チャネルを検索する。そして、検索手段によって検索されたアナログ放送チャネルを選局可能チャネルとして設定する設定手段を、さらに備える。すなわち、設定手段によって設定されたアナログ放送チャネルのみが、選局可能とされる。
【０００８】
なお、検索手段は、テレビジョン信号に含まれる所定の同期信号を検出する検出手段、および検出手段による検出結果に基づいてアナログ放送チャネルの有無を判別する判別手段を含むものとしてもよい。すなわち、アナログ放送チャネルのテレビジョン信号であれば必ず含まれる同期信号の有無を検出することによって、アナログ放送チャネルの有無を容易にかつ確実に検索する。
【０００９】
【発明の効果】
この発明によれば、ディジタル放送チャネルが割り当てられる第１周波数帯域にアナログ放送チャネルが存在しないとき、当該第１周波数帯域の周波数成分は減衰される。したがって、第１周波数帯域を使用して実際にディジタル放送が開始されても、ディジタル放送チャネルとの間で相互変調妨害などの妨害を生じることなく、アナログ放送チャネルの番組を正常に試聴できるという効果がある。
【００１０】
この発明の上述の目的，その他の目的，特徴および利点は、図面を参照して行う以下の実施例の詳細な説明から一層明らかとなろう。
【００１１】
【実施例】
図１に示す第１実施例のテレビジョン受信機１０は、アナログ放送受信用のもので、図示しない混合器を介して接続された図示しないＶＨＦアンテナおよびＵＨＦアンテナが接続されるアンテナ入力端子１２を有している。各アンテナによってそれぞれ受信されたＶＨＦ帯域のアナログテレビジョン信号およびＵＨＦ帯域のアナログテレビジョン信号は、混合器によって混合された後、アンテナ入力端子１２を介してテレビジョン受信機１０内に入力され、２つの入力同調回路１４および１６にそれぞれ入力される。
【００１２】
各入力同調回路１４および１６のうちの一方１４は、高周波（ＲＦ：Radio Frequency）増幅回路１８，段階同調回路２０，局部発振回路２２および混合回路２４とともにＶＨＦ帯域用の前置処理回路２６を構成する。すなわち、入力同調回路１４は、これに入力されるアナログテレビジョン信号の中からＶＨＦ帯域の周波数成分を大まかに抽出する。この抽出されたＶＨＦ帯域の高周波信号は、高周波増幅回路１８によって増幅された後、段階同調回路１８に入力される。段階同調回路１８は、局部発振回路２２から供給される局部発振信号に従って、増幅された高周波信号の中から受信しようとする周波数成分を抜き出す。この抜き出された信号は、混合回路２４に入力され、ここで局部発振信号と混合されることによって中間周波（ＩＦ：Intermediate Frequency）信号に変換された後、切換回路２８に入力される。
【００１３】
なお、局部発振回路２２は、ＰＬＬ（Phase-Locked Loop：位相同期ループ）シンセサイザ方式のもので、後述するＰＬＬ選局回路３０から供給されるＰＬＬ制御信号に従って１ｃｈから１２ｃｈまでの各ＶＨＦチャネルに対応する周波数の局部発振信号を生成する。また、入力同調回路１４，高周波増幅回路１８および段階同調回路２０は、それぞれ後述するバンド切換回路３２から供給されるバンド切換制御信号に従って能動化されまたは不能化される。
【００１４】
他方の入力同調回路１６は、高周波増幅回路３４，段階同調回路３６，局部発振回路３８および混合回路４０とともにＵＨＦ帯域用の前置処理回路４２を構成する。この前置処理回路４２は、上述のＶＨＦ帯域用の前置処理回路２６と同様の処理を行うことによって、アンテナ入力端子１２から入力されるアナログテレビジョン信号を中間周波信号に変換し、切換回路２８に入力する。なお、この前置処理回路４２を構成する局部発振回路３８もまた、ＰＬＬシンセサイザ方式のもので、ＰＬＬ選局回路３０から供給されるＰＬＬ制御信号に従って１３ｃｈから６２ｃｈまでの各ＵＨＦチャネルに対応する周波数の局部発振信号を生成する。そして、入力同調回路１６，高周波増幅回路３４および段階同調回路３６は、バンド切換回路３２から供給されるバンド切換制御信号に従ってそれぞれ能動化されまたは不能化される。
【００１５】
切換回路２８は、各前置処理回路２６および４２（混合回路２４および４０）からそれぞれ入力される２つの中間周波信号のいずれか一方を、上述のバンド切換制御信号に従って選択し、いわゆる有効とする。有効とされた中間周波信号は、中間周波増幅回路４４によって増幅された後、音声検波回路４６および映像検波回路４８にそれぞれ入力される。
【００１６】
音声検波回路４６は、入力された中間周波信号を検波して音声信号を取り出す。この音声信号は、音声処理回路５０によって増幅処理などされた後、音声出力端子５２から出力され、たとえば図示しないスピーカ装置に入力される。
【００１７】
一方、映像検波回路４８は、入力された中間周波信号を検波して映像信号を取り出す。この映像信号は、映像処理回路５４によって増幅処理などされた後、映像出力端子５４から出力され、たとえば図示しないモニタ装置に入力される。
【００１８】
なお、いずれのチャネルを選局するかは、操作キー５８を構成する図示しない選局キーの操作による。すなわち、選局キーによって任意のチャネルを選局する旨の操作を行うと、この操作に応答して、ＣＰＵ（Central Processing Unit）６０が、当該任意のチャネルを選局するよう上述のＰＬＬ選局回路３０およびバンド切換回路３２を制御する。
【００１９】
たとえば、任意のチャネルがＶＨＦチャネルである場合、ＣＰＵ６０は、そのＶＨＦチャネルに対応する周波数の局部発振信号を局部発振回路２２に生成させるよう（厳密には、そのように局部発振回路２２を制御するためのＰＬＬ制御信号を生成するよう）、ＰＬＬ選局回路３０を制御する。これと同時に、ＣＰＵ６０は、ＶＨＦ帯域用の前置処理回路２６を構成する入力同調回路１４，高周波増幅回路１８および段階同調回路２０を能動化し、ＵＨＦ帯域用の前置処理回路４２を構成する入力同調回路１６，高周波増幅回路３４および段階同調回路３６を不能とするよう（厳密には、このように能動化／不能化を制御するためのバンド切換制御信号を生成するよう）、バンド切換回路３２を制御する。さらに、このバンド切換回路３２の制御に応じて、切換回路２８が、前置処理回路２６から入力される中間周波信号を有効とするよう切り換わる。これによって、任意のＶＨＦチャネルが選局され、そのチャネルの音声信号が音声出力端子５２から出力され、映像信号が映像出力端子５６から出力される。
【００２０】
一方、選局キーによって任意のＵＨＦチャネルを選局するよう操作された場合、ＣＰＵ６０は、そのＵＨＦチャネルに対応する周波数の局部発振信号を局部発振回路３８に生成させるよう、ＰＬＬ選局回路３０を制御する。これと同時に、ＣＰＵ６０は、入力同調回路１４，高周波増幅回路１８および段階同調回路２０を不能とし、入力同調回路１６，高周波増幅回路３４および段階同調回路３６を能動化するよう、バンド切換回路３２を制御する。さらに、切換回路２８が、ＵＨＦ帯域用の前置処理回路４２から入力される中間周波信号を有効とするよう切り換わる。これによって、選局キーの操作に応じた任意のＵＨＦチャネルが選局される。
【００２１】
ＣＰＵ６０は、現在選局されているチャネルの番号をディスプレイ６２に表示する。なお、ディスプレイ６２は、液晶，発光ダイオードおよび蛍光管を表示器とし、操作キー５８とともに、テレビジョン受信機１０の前面部に配置された図示しない操作パネルに設けられている。また、ＣＰＵ６０は、メモリ６４に記憶されている制御プログラムに従って上述の選局動作を含む各動作を実行する。
【００２２】
この第１実施例のテレビジョン受信機１０は、自動チャネル設定機能をも備えている。自動チャネル設定機能とは、受信可能なチャネルを自動的に検索して、検索されたチャネルのみを選局可能なチャネルとして設定（プリセット）する機能である。たとえば、テレビジョン受信機１０を購入した直後や、引っ越しなどによってテレビジョン受信機１０をそれまでとは別の場所で使用したりするときなどに、この自動チャネル設定機能を使用すれば、そのときどきの設置状況（地域）に適したチャネル設定を行うことができる。この自動チャネル設定機能は、操作キー５８を構成する図示しない自動チャネル設定キーの操作によって実行される。
【００２３】
すなわち、自動チャネル設定キーが操作されると、ＣＰＵ６０は、１ｃｈから６２ｃｈまでの全チャネルを１つずつ順次選局するように、ＰＬＬ選局回路３０およびバンド切換回路３２を制御する。そして、このように各チャネルを順次選局した状態で、それぞれのチャネルを通してアナログテレビジョン信号が放送されているか否か、すなわちそれぞれのチャネルが有局であるか無局であるかを判別する。
【００２４】
具体的には、映像処理回路５４による処理後の信号を監視するための同期判別回路６６を設ける。同期判別回路６６は、映像処理回路５４による処理後の信号の中に、アナログテレビジョン信号であれば必ず含まれる同期信号、たとえば垂直同期信号（水平同期信号でもよい）が存在するか否かを監視する。ここで、同期判別回路６６によって垂直同期信号が検出されると、ＣＰＵ６０は、その時点で選局されているチャネルは有局であると判別する。一方、同期判別回路６６によって垂直同期信号が検出されない場合には、ＣＰＵ６０は、その時点で選局されているチャネルは無局であると判別する。
【００２５】
ＣＰＵ６０は、有局であると判別したチャネルのみを選局可能なチャネルとして、メモリ６４に記憶し、すなわち設定する。そして、この設定後、一連の自動チャネル設定機能を終了する。これ以降、上述した選局キーによっては、メモリ６４に設定されたチャネルのみが選局可能となる。
【００２６】
ところで、上述したように、日本国内においては、２００３年から２０１１年までの間、アナログ放送とディジタル放送とが混在するため、これら両者間で相互変調妨害や混変調妨害、或いは隣接チャネル妨害などが生じる可能性がある。そこで、この第1実施例では、かかる妨害を排除するために、ＵＨＦ帯域用の前置処理回路４２を構成する入力同調回路１６の出力側（高周波増幅回路３４の入力側）に、トラップ回路６８を設ける。
【００２７】
すなわち、トラップ回路６８は、図３に点線のグラフＸで示すように、ディジタル放送チャネルに割り当てられた１３ｃｈから３２ｃｈまでの周波数帯域に減衰域を有するもので、バンド切換回路３２から供給されるオン／オフ切換制御信号に従ってオン（能動化）／オフ（不能化）する。たとえば、トラップ回路６８がオフ状態にあるときは、入力同調回路１６から出力される高周波信号は、同図に実線のグラフＹで示すように、１３ｃｈから６２ｃｈまでの全ＵＨＦ帯域にわたってほぼ一定の周波数特性（振幅）を示す。一方、トラップ回路６８がオンされると、グラフＸで示すように、入力同調回路１６から出力される高周波信号のうち１３ｃｈから３２ｃｈまで帯域の周波数成分が減衰（遮断）される。
【００２８】
つまり、ディジタル放送が開始されるまでの間は、トラップ回路６８をオフすることによって、１３ｃｈから３２ｃｈを含む全てのＵＨＦチャネルを受信可能とする。そして、ディジタル放送開始後に、トラップ回路６８をオンする。これによって、１３ｃｈから３２ｃｈまでの周波数成分を減衰させて、ディジタル放送チャネルによる相互変調妨害などの影響を排除するのである。
【００２９】
この第1実施例では、上述の自動チャネル設定機能を実行するときに、併せてトラップ回路６８をオン／オフ制御する。具体的には、ＣＰＵ６０によって、図２のフロー図で示される各処理を実行させる。
【００３０】
同図に示すように、ＣＰＵ６０は、ステップＳ１において、上述の自動チャネル設定キーが操作されたと判断すると、ステップＳ３に進む。そして、このステップＳ３において、１ｃｈから６２ｃｈまでの全チャネルを１つずつ順次選局するとともに、それぞれのチャネルが有局であるか無局であるかを判別する。そして、ステップＳ５において、ステップＳ３における判別結果に基づいて１３ｃｈから３２ｃｈまでの各チャネルが全て無局であるか否かを判断する。
【００３１】
ここで、１３ｃｈから３２ｃｈまでの全てのチャネルが無局であると判断すると、ＣＰＵ６０は、既にディジタル放送が開始されたものと認識し、換言すれば１３ｃｈから３２ｃｈまでを使用していたアナログ放送チャネルは既に他のチャネルに移行されたものと認識する。そして、ステップＳ７に進み、ここで１３ｃｈから３２ｃｈまでの周波数成分を減衰させるべくトラップ回路６８をオンした後（厳密には、トラップ回路６８をオンするようにバンド切換回路３２を制御した後）、ステップＳ９に進む。
【００３２】
一方、１３ｃｈから３２ｃｈまでの間に１つでも有局チャネルが存在する場合には、ＣＰＵ６０は、未だディジタル放送が開始されていないものと認識する。そして、ステップＳ５から直接ステップＳ９に進む。この場合、トラップ回路６８はオフ状態とされる。
【００３３】
ステップＳ９においては、ＣＰＵ６０は、上述のステップＳ３において有局であると判別されたチャネルを、選局可能チャネルとしてメモリ６４に設定する。そして、この設定後、ＣＰＵ６０は、一連の自動チャネル設定機能、並びにトラップ回路６８のオン／オフ制御を終了する。
【００３４】
次に、この発明の第２実施例について説明する。
【００３５】
図４を参照して、第２実施例のテレビジョン受信機１０は、上述した図１の構成におけるトラップ回路６８に代えて、入力同調回路１６の出力側と高周波増幅回路３４の入力側との間に、ハイ・パス・フィルタ７０を設けたものである。このハイ・パス・フィルタ７０は、３３ｃｈ以上の帯域に通過域を有し、換言すれば、図５に点線のグラフＺで示すように、３２ｃｈ以下の帯域に減衰域を有する。そして、このハイ・パス・フィルタ７０もまた、上述のトラップ回路６８と同様に、バンド切換回路３２から供給されるオン／オフ切換制御信号に従ってオン／オフする。
【００３６】
たとえば、ハイ・パス・フィルタ７０は、オフされると、いわゆるスルー状態となる。この場合、入力同調回路１６から出力される高周波信号は、同図に実線のグラフＹで示すように、１３ｃｈから６２ｃｈまでの全ＵＨＦ帯域にわたってほぼ一定の周波数特性を示す。一方、ハイ・パス・フィルタ７０がオンされると、グラフＺで示すように、入力同調回路１６から出力される高周波信号のうち３３ｃｈ以下の帯域の周波数成分が減衰（遮断）される。
【００３７】
このように、トラップ回路６８に代えてハイ・パス・フィルタ７０を用いることによっても、上述の第1実施例と同様の作用および効果を得ることができる。
【００３８】
なお、上述の各実施例においては、１３ｃｈから３２ｃｈまでの帯域の周波数成分を減衰させる手段として、トラップ回路６８またはハイ・パス・フィルタ７０を用いたが、これら以外のもの、たとえばバンド・パス・フィルタなどを用いてもよい。ただし、１３ｃｈから３２ｃｈまでの帯域以外の周波数成分を減衰させないようにするために、急峻な遮断特性（Ｑ）を有する減衰手段を用いるのが好ましい。
【００３９】
また、自動チャネル設定機能では、映像処理回路５４による処理後の信号に垂直同期信号（または水平同期信号）が存在するか否かによって有局チャネルであるか無局チャネルであるかを判別するようにしたが、これら同期信号以外の信号の有無によって有局／無局を判別するようにしてもよい。
【図面の簡単な説明】
【図１】この発明の第１実施例の概略構成を示すブロック図である。
【図２】図１の実施例におけるＣＰＵの動作を示すフロー図である。
【図３】図１の実施例におけるトラップ回路の周波数特性を示す図解図である。
【図４】この発明の第２実施例の概略構成を示すブロック図である。
【図５】図４の実施例におけるハイ・パス・フィルタの周波数特性を示す図解図である。
【図６】テレビジョン放送における各チャネルの周波数割当を示す図解図である。
【符号の説明】
１０…テレビジョン受信機
５８…操作キー
６０…ＣＰＵ
６６…同期判別回路
６８…トラップ回路
【図１】
0003837303.tif 000002
【図２】
0003837303.tif 000003
【図３】
0003837303.tif 000004
【図４】
0003837303.tif 000005
【図５】
0003837303.tif 000006
【図６】
0003837303.tif 000007